(57)【要約】【課題】少ない駆動力で旋回アームを回転させることができ、汚泥の負荷が高い場合でも安定した運転を行うことができる汚泥掻き寄せ機を提供する。【解決手段】汚泥掻き寄せ機１は、沈殿池５内の汚泥を掻き寄せる掻き寄せ板１２と、掻き寄せ板１２を支持する旋回アーム７と、沈殿池５の周壁５ａに沿って延び、旋回アーム７が連結されたリング歯車５１と、リング歯車５１に噛み合うスプロケットホイール６０と、スプロケットホイール６０を回転させるモータ８と、リング歯車５１を回転自在に支持するベアリング機構６３とを備える。リング歯車５１は、その周方向に沿って配列された複数のピン５４を備える。ピン５４はスプロケットホイール６０が係合する係合ローラ５４ｂと、係合ローラ５４ｂを回転自在に支持する支持ロッド５４ａとを備える。【選択図】図１
2014161788.tif 000002
【特許請求の範囲】
【請求項１】
沈殿池に設置される汚泥掻き寄せ機であって、
前記沈殿池内の汚泥を掻き寄せる掻き寄せ板と、
前記掻き寄せ板を支持する旋回アームと、
前記沈殿池の周壁に沿って延び、前記旋回アームが連結されたリング歯車と、
前記リング歯車に噛み合うスプロケットホイールと、
前記スプロケットホイールを回転させる駆動装置と、
前記リング歯車を回転自在に支持する複数のベアリング機構とを備え、
前記リング歯車は、その周方向に沿って配列された複数のピンを備え、
前記ピンは、前記スプロケットホイールが係合する係合ローラと、前記係合ローラを回転自在に支持する支持ロッドとを備えていることを特徴とする汚泥掻き寄せ機。
【請求項２】
前記ピンは、前記沈殿池の水面よりも上方に配置されていることを特徴とする請求項１に記載の汚泥掻き寄せ機。
【請求項３】
前記複数のベアリング機構は、前記リング歯車の水平方向の動きを制限しつつ、前記リング歯車の上面および下面にそれぞれ転がり接触する複数の上側ガイドローラおよび複数の下側ガイドローラを備えることを特徴とする請求項１または２に記載の汚泥掻き寄せ機。
【請求項４】
前記旋回アームを前記リング歯車に連結する自在継手をさらに備えたことを特徴とする請求項１乃至３のいずれか一項に記載の汚泥掻き寄せ機。
【請求項５】
前記自在継手は、前記リング歯車の半径方向に伸縮自在に構成されていることを特徴とする請求項４に記載の汚泥掻き寄せ機。
【請求項６】
前記沈殿池の底部の中央から上方に延び、さらに前記沈殿池の外側に延びる汚泥引き抜き管をさらに備えたことを特徴とする請求項１乃至５のいずれか一項に記載の汚泥掻き寄せ機。
【請求項７】
沈殿池に設置される汚泥掻き寄せ機であって、
前記沈殿池内の汚泥を掻き寄せる掻き寄せ板と、
前記掻き寄せ板を支持する旋回アームと、
前記沈殿池の周壁に沿って延び、前記旋回アームが連結されたリング歯車と、
前記リング歯車に噛み合うスプロケットホイールと、
前記スプロケットホイールを回転させる駆動装置と、
前記リング歯車を回転自在に支持する複数のベアリング機構とを備え、
前記リング歯車は、前記沈殿池の水面よりも上方に配置されているか、または前記沈殿池の水面上に配置されていることを特徴とする汚泥掻き寄せ機。
【請求項８】
前記複数のベアリング機構は、前記リング歯車の水平方向の動きを制限しつつ、前記リング歯車の上面および下面にそれぞれ転がり接触する複数の上側ガイドローラおよび複数の下側ガイドローラを備えることを特徴とする請求項７に記載の汚泥掻き寄せ機。
【請求項９】
前記旋回アームを前記リング歯車に連結する自在継手をさらに備えたことを特徴とする請求項７または８に記載の汚泥掻き寄せ機。
【請求項１０】
前記自在継手は、前記リング歯車の半径方向に伸縮自在に構成されていることを特徴とする請求項９に記載の汚泥掻き寄せ機。
【請求項１１】
前記沈殿池の底部の中央から上方に延び、さらに前記沈殿池の外側に延びる汚泥引き抜き管をさらに備えたことを特徴とする請求項７乃至１０のいずれか一項に記載の汚泥掻き寄せ機。
【請求項１２】
前記リング歯車は、その周方向に沿って配列された複数のピンを備え、前記ピンは、前記スプロケットホイールが係合する係合ローラと、前記係合ローラを回転自在に支持する支持ロッドとを備えていることを特徴とする請求項７乃至１１のいずれか一項に記載の汚泥掻き寄せ機。
【発明の詳細な説明】
【技術分野】
【０００１】
本発明は、沈殿池に沈殿した汚泥を掻き寄せる汚泥掻き寄せ機に関し、特に、円形沈殿池内に設置される汚泥掻き寄せ機に関するものである。
【背景技術】
【０００２】
汚泥掻き寄せ機とは、水処理用の沈殿池内に沈殿した汚泥を掻き寄せ板により掻き寄せる装置である。汚泥掻き寄せ機には、中央駆動式と周辺駆動式の２つのタイプがある。中央駆動式は、沈殿池の中央の支柱上に設置された駆動装置によって旋回アームを回転させ、この旋回アームに連結された掻き寄せ板により汚泥を掻き寄せるというものである。このような中央駆動式の汚泥掻き寄せ機では、支柱は汚泥掻き寄せのためのトルクの反力を受けるため、老朽化した沈殿池に新たな汚泥掻き寄せ機を設置する場合には、支柱の補強が必要になる。また、このタイプの汚泥掻き寄せ機に使用される駆動装置（通常はモータ）は、大型でしかも高価である。
【０００３】
周辺駆動式の汚泥かき寄せ機は、沈殿池の周壁上を走行する台車が旋回アームを牽引することで、旋回アームを回転させる。このタイプの汚泥かき寄せ機では、より少ない駆動力で大きなトルクを発生させることが可能である。しかしながら、このタイプの汚泥掻き寄せ機は、台車の走行路を確保する必要があり、さらに台車への給電システムを設置する必要もある。このため、汚泥掻き寄せ機の構造を中央駆動式から周辺駆動式に変更することは困難である。また、汚泥の負荷が高い場合や走行路に積雪などがある場合には、台車の車輪がスリップすることがあり、安定した運転を確保することが難しい。
【０００４】
特許文献２には、互いに噛み合う歯車により旋回アームを回転させる汚泥掻き寄せ機が開示されている。しかしながら、これら歯車は水中に配置されているため、歯車への汚泥の噛み込みにより、歯車が摩耗することがあり、結果として寿命が短くなることがあった。
【先行技術文献】
【特許文献】
【０００５】
【特許文献１】特許第３０１５３１８号
【特許文献２】特開２００５−６６５８２号公報
【発明の概要】
【発明が解決しようとする課題】
【０００６】
本発明は、上述した従来の問題点を解決するためになされたもので、少ない駆動力で旋回アームを回転させることができ、かつ寿命の長い汚泥掻き寄せ機を提供することを目的とする。
【課題を解決するための手段】
【０００７】
上述した目的を達成するために、本発明の第１の態様は、沈殿池に設置される汚泥掻き寄せ機であって、前記沈殿池内の汚泥を掻き寄せる掻き寄せ板と、前記掻き寄せ板を支持する旋回アームと、前記沈殿池の周壁に沿って延び、前記旋回アームが連結されたリング歯車と、前記リング歯車に噛み合うスプロケットホイールと、前記スプロケットホイールを回転させる駆動装置と、前記リング歯車を回転自在に支持する複数のベアリング機構とを備え、前記リング歯車は、その周方向に沿って配列された複数のピンを備え、前記ピンは、前記スプロケットホイールが係合する係合ローラと、前記係合ローラを回転自在に支持する支持ロッドとを備えていることを特徴とする。
【０００８】
本発明の好ましい態様は、前記ピンは、前記沈殿池の水面よりも上方に配置されていることを特徴とする。
本発明の好ましい態様は前記複数のベアリング機構は、前記リング歯車の水平方向の動きを制限しつつ、前記リング歯車の上面および下面にそれぞれ転がり接触する複数の上側ガイドローラおよび複数の下側ガイドローラを備えることを特徴とする。
本発明の好ましい態様は前記旋回アームを前記リング歯車に連結する自在継手をさらに備えたことを特徴とする。
本発明の好ましい態様は前記自在継手は、前記リング歯車の半径方向に伸縮自在に構成されていることを特徴とする。
本発明の好ましい態様は、前記沈殿池の底部の中央から上方に延び、さらに前記沈殿池の外側に延びる汚泥引き抜き管をさらに備えたことを特徴とする。
【０００９】
本発明の第２の態様は、沈殿池に設置される汚泥掻き寄せ機であって、前記沈殿池内の汚泥を掻き寄せる掻き寄せ板と、前記掻き寄せ板を支持する旋回アームと、前記沈殿池の周壁に沿って延び、前記旋回アームが連結されたリング歯車と、前記リング歯車に噛み合うスプロケットホイールと、前記スプロケットホイールを回転させる駆動装置と、前記リング歯車を回転自在に支持する複数のベアリング機構とを備え、前記リング歯車は、前記沈殿池の水面よりも上方に配置されているか、または前記沈殿池の水面上に配置されていることを特徴とする。
【００１０】
本発明の好ましい態様は、前記複数のベアリング機構は、前記リング歯車の水平方向の動きを制限しつつ、前記リング歯車の上面および下面にそれぞれ転がり接触する複数の上側ガイドローラおよび複数の下側ガイドローラを備えることを特徴とする。
本発明の好ましい態様は、前記旋回アームを前記リング歯車に連結する自在継手をさらに備えたことを特徴とする。
本発明の好ましい態様は、前記自在継手は、前記リング歯車の半径方向に伸縮自在に構成されていることを特徴とする。
本発明の好ましい態様は、前記沈殿池の底部の中央から上方に延び、さらに前記沈殿池の外側に延びる汚泥引き抜き管をさらに備えたことを特徴とする。
本発明の好ましい態様は、前記リング歯車は、その周方向に沿って配列された複数のピンを備え、前記ピンは、前記スプロケットホイールが係合する係合ローラと、前記係合ローラを回転自在に支持する支持ロッドとを備えていることを特徴とする。
【発明の効果】
【００１１】
本発明によれば、沈殿池の周壁に沿って延びるリング歯車が旋回アームを牽引して、旋回アームを回転させる。したがって、リング歯車を回転させる駆動装置は、少ない駆動力で旋回アームおよび掻き寄せ板を回転させることができる。また、台車で旋回アームを牽引する従来のタイプとは異なり、スプロケットホイールとリング歯車との組み合わせは、駆動装置の駆動力を確実に旋回アームに伝達することができる。したがって、安定して汚泥掻き寄せ機を運転させることができる。
【００１２】
特に、本発明の第１の態様によれば、リング歯車は、スプロケットホイールが係合する回転自在な係合ローラを備えている。したがって、スプロケットホイールはリング歯車に滑らかに噛み合い、結果としてスプロケットホイールおよびリング歯車の摩耗を防止することができる。したがって、寿命の長い汚泥掻き寄せ機が実現される。
【００１３】
本発明の第２の態様によれば、リング歯車は、沈殿池の水面よりも上方に配置されているか、または沈殿池の水面上に配置されている。したがって、スプロケットホイールとリング歯車との間での汚泥の噛み込みがなく、結果としてスプロケットホイールおよびリング歯車の摩耗を防止することができる。したがって、寿命の長い汚泥掻き寄せ機が実現される。また、沈殿池から水を排出することなく、リング歯車のメンテナンスを行うことができる。したがって、汚泥掻き寄せ機の稼働率を上げることができる。さらに、沈殿池から水を排出することなく、リング歯車および／またはスプロケットホイールの状態を目視により容易に確認することができる。
【図面の簡単な説明】
【００１４】
【図１】本発明の一実施形態に係る汚泥掻き寄せ機の正面図である。
【図２】図１に示す掻き寄せ板及び旋回アームを上から見た図である。
【図３】リング歯車の一部を示す斜視図である。
【図４】リング歯車の一部を示す断面図である。
【図５】図１に示す汚泥掻き寄せ機の一部を示す図であり、駆動装置および動力伝達部を示す図である。
【図６】上側ガイドローラの斜視図である。
【図７】スプロケットホイールの平面図である。
【発明を実施するための形態】
【００１５】
以下、本発明の実施形態について図面を参照して説明する。
図１は、本発明の一実施形態に係る汚泥掻き寄せ機の正面図である。図１に示すように、汚泥掻き寄せ機１は、円形の沈殿池５の中に設置されている。汚泥掻き寄せ機１は、沈殿池５の水面の上方に配置された旋回アーム７と、旋回アーム７を回転させる駆動装置としてのモータ８と、旋回アーム７から沈殿池５内に吊り下げられた懸垂構造体９と、懸垂構造体９の下端に固定された取り付けフレーム（取り付け部材）１０と、沈殿池５の底部に沈殿した汚泥を沈殿池５の中心に掻き寄せる複数の掻き寄せ板１２とを備えている。旋回アーム７は、沈殿池５の半径方向に延び、かつ水平方向に延びている。掻き寄せ板１２は、沈殿池５の底部からわずかに離間して取り付けフレーム１０に取り付けられている。
【００１６】
図２は、図１に示す掻き寄せ板１２及び旋回アーム７を上から見た図である。図２に示すように、各掻き寄せ板１２は、その進行方向（旋回アーム７の長手方向に対して垂直な方向）に対して所定の角度だけ傾斜している。したがって、図２の矢印で示す方向に旋回アーム７が回転すると、掻き寄せ板１２は池底上の汚泥を沈殿池５の中心に向かって掻き寄せる。
【００１７】
懸垂構造体９は、複数の懸垂棒から構成されたトラス構造体またはラーメン構造体であり、沈殿池５の水面よりも上方に延びている。旋回アーム７は、沈殿池５の中央に設けられた回転支持機構１５に取り付けられている。この回転支持機構１５は、図示しない軸受を備えており、旋回アーム７を回転自在に支持している。回転支持機構１５は、沈殿池５の中央に設けられた支柱２０の上端に載置されている。回転支持機構１５に支持された旋回アーム７は、支柱２０に対して回転可能となっている。
【００１８】
支柱２０の下端には、汚水を沈殿池５に供給するための汚水流入管２２が接続されている。支柱２０の上部には汚水出口３４が設けられている。支柱２０の周囲には、支柱２０の上部を取り囲むように円筒状のフィードウェル３６が設けられている。フィードウェル３６は支柱２０と同軸状に配置されている。フィードウェル３６の上端は旋回アーム７に固定されており、フィードウェル３６は旋回アーム７と一体に回転するようになっている。汚水は、汚水流入管２２を通って支柱２０に供給され、汚水出口３４からフィードウェル３６内に導入される。さらに、汚水はフィードウェル３６の下部と支柱２０との間の隙間を通って沈殿池５内に流入する。
【００１９】
沈殿池５の底部の中央には環状のサンプ２５が設けられており、掻き寄せ板１２によって掻き寄せられた汚泥はサンプ２５内に集められるようになっている。サンプ２５には、掻き集められた汚泥を排出する汚泥引き抜き管２６が接続されている。この汚泥引き抜き管２６は、沈殿池５の底部の中央から支柱２０に沿って水面よりも上方に延び、さらに沈殿池５の外側に延びている。特許文献１に記載のような従来の汚泥掻き寄せ機では、汚泥引き抜き管は沈殿池の下方に埋設されているため、汚泥引き抜き管の修理や交換は非常に困難である。この点、本実施形態の汚泥引き抜き管２６は、地中に埋設されていないので、修理や交換が非常に簡単である。
【００２０】
サンプ２５に溜まった汚泥は、汚泥引き抜き管２６から引き抜かれる。サンプ２５内にはサンプスクレーパ２４が設けられている。このサンプスクレーパ２４は、連結フレーム２８を介してフィードウェル３６に連結されており、サンプ２５はフィードウェル３６および旋回アーム７と一体に回転するようになっている。
【００２１】
沈殿池５の内周面には、汚泥から分離された上澄水を排出する排水トラフ４１が設けられている。沈殿池５の水面に浮かぶスカムを掻き寄せるスカムブレードを旋回アーム７に固定してもよい。この場合、スカムは、スカムブレードによって沈殿池５の半径方向外側へ移動され、スカムボックス（図示しない）の中に投入される。
【００２２】
図２に示すように、旋回アーム７を囲むようにリング歯車５１が設けられている。このリング歯車５１は、沈殿池５の周壁５ａに沿って延びている。旋回アーム７の両端は、自在継手４９を介してリング歯車５１に連結されており、旋回アーム７とリング歯車５１は一体に回転するようになっている。図１に示すように、沈殿池５の周壁５ａには、駆動装置としてのモータ８が固定されている。このモータ８の駆動軸にはスプロケットホイール６０が固定されており、スプロケットホイール６０はリング歯車５１に噛み合っている。
【００２３】
図３はリング歯車５１の一部を示す斜視図であり、図４はリング歯車５１の一部を示す断面図であり、図５は図１に示す汚泥掻き寄せ機の一部を示す図である。図３に示すように、リング歯車５１は、上側リング５２と、下側リング５３と、これら上側リング５２と下側リング５３とを連結する複数のピン５４とを備えている。各ピン５４は、上側リング５２と下側リング５３との間を延びる円柱状の支持ロッド５４ａと、この支持ロッド５４ａに回転自在に支持された円筒状の係合ローラ５４ｂとを備えている。係合ローラ５４ｂは、支持ロッド５４ａを中心として回転自在となっている。図５に示すように、係合ローラ５４ｂはスプロケットホイール６０と同じ高さに配置されており、スプロケットホイール６０は係合ローラ５４ｂに係合するようになっている。
【００２４】
上側リング５２と下側リング５３は、互いに平行かつ同心状に配置されている。ピン５４の上端は上側リング５２の下面に固定され、ピン５４の下端は下側リング５３の上面に固定されている。上側リング５２と下側リング５３は実質的に同じ直径を有しており、ピン５４はこれら上側リング５２と下側リング５３の周方向に沿って等間隔に配置されている。
【００２５】
リング歯車５１は、複数のベアリング機構６３によって支持されている。これら複数のベアリング機構６３は、リング歯車５１の周方向に沿って等間隔に配列されている。なお、図５には、１つのベアリング機構６３のみが描かれている。ベアリング機構６３に支持されたリング歯車５１は、その中心軸線まわりに回転自在となっている。各ベアリング機構６３は、上側ガイドローラ６４と下側ガイドローラ６５とを備えている。上側ガイドローラ６４および下側ガイドローラ６５は、ブラケット６８に固定された水平シャフト６６にそれぞれ回転自在に支持されている。ブラケット６８は、沈殿池５の周壁５ａに固定されている。各水平シャフト６６は、リング歯車５１の半径方向に延びており、上側ガイドローラ６４および下側ガイドローラ６５は、リング歯車５１の半径方向にかつ水平に延びる中心軸線まわりに回転可能となっている。
【００２６】
上側ガイドローラ６４は、リング歯車５１の上面（すなわち上側リング５２の上面）に転がり接触し、リング歯車５１を上から支持している。下側ガイドローラ６５は、リング歯車５１の下面（すなわち下側リング５３の下面）に転がり接触し、リング歯車５１を下から支持している。これら上側ガイドローラ６４および下側ガイドローラ６５は、リング歯車５１の周方向に沿って等間隔で配置されている。
【００２７】
上側ガイドローラ６４と下側ガイドローラ６５は、実質的に同一の形状を有しているので、以下、上側ガイドローラ６４について図６を参照して説明する。図６は上側ガイドローラ６４の斜視図である。図６に示すように、上側ガイドローラ６４は、円筒部７１と、この円筒部７１の内側端部に一体に形成されたフランジ７２とを備えている。円筒部７１は、リング歯車５１の上面（すなわち上側リング５２の上面）に転がり接触し、フランジ７２はリング歯車５１の側面（すなわち上側リング５２の側面）に接触する。なお、フランジ７２は、円筒部７１の外側端部に設けてもよい。図示しないが、下側ガイドローラ６５の円筒部はリング歯車５１の下面（すなわち下側リング５３の下面）に転がり接触し、下側ガイドローラ６５のフランジはリング歯車５１の側面（すなわち下側リング５３の側面）に接触する。
【００２８】
このようにリング歯車５１を挟むように配置された上側ガイドローラ６４と下側ガイドローラ６５は、リング歯車５１の上下方向の移動および水平方向の移動を制限しつつ、リング歯車５１を滑らかに回転させることができる。したがって、旋回アーム７および掻き寄せ板１２の回転による汚泥の掻き寄せを安定して行うことができる。
【００２９】
図５に示すように、リング歯車５１の下側リング５３は、自在継手４９を介して旋回アーム７の端部に接続されている。この自在継手４９は、リング歯車５１の半径方向（旋回アーム７の長手方向）に伸縮自在であり、かつリング歯車５１と旋回アーム７との相対的な角度が自由に変化することを許容する構造を有している。このように構成された自由継手４９は、旋回アーム７のたわみや汚泥負荷による旋回アーム７の変位がリング歯車５１に伝わることを防止することができる。
【００３０】
図７は、スプロケットホイール６０の平面図である。図７に示すように、スプロケットホイール６０は、その半径方向に延びる複数の板状の歯６０ａを有している。モータ８がスプロケットホイール６０を回転させると、スプロケットホイール６０の歯６０ａがリング歯車５１の係合ローラ５４ｂに順次係合する。スプロケットホイール６０とリング歯車５１との係合を通じてモータ８のトルクがリング歯車５１に伝達され、リング歯車５１がその軸心まわりに回転する。リング歯車５１は旋回アーム７の両端部を牽引し、これによって旋回アーム７、および懸垂構造体９を介して旋回アーム７に支持された掻き寄せ板１２がリング歯車５１とともに回転する。
【００３１】
掻き寄せ板１２で沈殿池５の底上の汚泥を掻き寄せるためには、大きなトルクを必要とする。本実施形態では、旋回アーム７および掻き寄せ板１２を回転させるための駆動源であるモータ８は、沈殿池５の周壁５ａに設置されており、モータ８の駆動力は、互いに噛み合うスプロケットホイール６０とリング歯車５１を介して旋回アーム７に伝達される。沈殿池５の周壁５ａに沿って延びるリング歯車５１が旋回アーム７の両端部を牽引することで旋回アーム７を回転させるので、少ない駆動力で旋回アーム７および掻き寄せ板１２を回転させることができる。また、台車で旋回アーム７を牽引する従来のタイプとは異なり、スプロケットホイール６０とリング歯車５１との組み合わせは、モータ８の駆動力を確実に旋回アーム７に伝達する。したがって、汚泥掻き寄せ機を安定して運転することができる。さらに、モータ８の位置が固定であるので、モータ８への給電システムをシンプルにすることができる。
【００３２】
リング歯車５１は、スプロケットホイール６０が係合する回転自在な係合ローラ５４ｂを備えている。したがって、スプロケットホイール６０はリング歯車５１に滑らかに噛み合い、結果としてスプロケットホイール６０およびリング歯車５１の摩耗を防止することができる。したがって、寿命の長い汚泥掻き寄せ機が実現される。
【００３３】
モータ８、ベアリング機構６３、スプロケットホイール６０、およびリング歯車５１は、水面よりも上方に配置されている。なお、リング歯車５１は、水面上に位置してもよい。より具体的には、係合ローラ５４ｂは水面よりも上方に位置し、下側リング５３の下面は水面に接していてもよい。このような配置によれば、スプロケットホイール６０とリング歯車５１との間での汚泥の噛み込みがなく、結果としてスプロケットホイール６０およびリング歯車５１の摩耗を防止することができる。したがって、寿命の長い汚泥掻き寄せ機が実現される。また、沈殿池５から水を排出することなく、リング歯車５１のメンテナンスを行うことができる。したがって、汚泥掻き寄せ機の稼働率を上げることができる。さらに、沈殿池５から水を排出することなく、リング歯車５１および／またはスプロケットホイール６０の状態を目視により容易に確認することができる。
【００３４】
次に、上述のように構成された汚泥掻き寄せ機の動作について説明する。
モータ８によりスプロケットホイール６０を介してリング歯車５１を回転させると、回転支持機構１５を中心に旋回アーム７が図２に示す矢印方向に回転する。旋回アーム７が回転することで、懸垂構造体９及び掻き寄せ板１２も回転する。
【００３５】
汚水は汚水流入管２２およびフィードウェル３６を通して沈殿池５内に供給される。フィードウェル３６は汚水出口３４から排出された汚水を整流する役割を持っている。掻き寄せ板１２が図２の矢印方向に回転することで、池底上の汚泥は沈殿池５の中心方向にかき集められ、サンプ２５内に溜まる。サンプスクレーパ２４は旋回アーム７とともに回転するため、サンプスクレーパ２４によりサンプ２５内の汚泥の流動状態が維持される。サンプ２５に溜まった汚泥は、汚泥引き抜き管２６を通じて引き抜かれる。汚泥から分離された上澄水は、排水トラフ４１から排出される。
【００３６】
懸垂構造体９は、沈殿池５内の汚泥を横切ることによってピケットフェンスの効果を発揮する。このピケットフェンスの効果（みずみち（水路）形成効果ともいう）とは、汚泥の濃縮性を高める効果である。すなわち、懸垂構造体９が沈殿池５内を進むと、沈殿池５内に堆積した汚泥は懸垂構造体９により切断され、鉛直方向に延びる水路が汚泥に形成される。汚泥の中には気泡が含まれているため、水路を通って気泡が抜ける。これにより、汚泥の濃縮性が高まる。懸垂構造体９を構成する複数の懸垂棒が重なって配置されると、懸垂棒のピケットフェンスの効果が薄れてしまう。そこで、懸垂構造体９がピケットフェンスの効果を発揮しうるように、懸垂構造体９を構成する複数の懸垂棒はその進行方向において正面から見て重ならないように配置されている。懸垂構造体９は水面よりも上方に延びているので、汚泥が水面付近まで堆積していても、懸垂構造体９は確実に汚泥を切断して水路を形成することができる。
【００３７】
上述した実施形態は、本発明が属する技術分野における通常の知識を有する者が本発明を実施できることを目的として記載されたものである。上記実施形態の種々の変形例は、当業者であれば当然になしうることであり、本発明の技術的思想は他の実施形態にも適用しうることである。したがって、本発明は、記載された実施形態に限定されることはなく、特許請求の範囲によって定義される技術的思想に従った最も広い範囲とすべきである。
【符号の説明】
【００３８】
１      汚泥掻き寄せ機
５      沈殿池
７    旋回アーム
８    モータ（駆動装置）
９    懸垂構造体
１０    取り付けフレーム
１２    掻き寄せ板
１５    回転支持機構
２０    支柱
２２    汚水流入管
２４    サンプスクレーパ
２５    サンプ
２６    汚泥引き抜き管
２８    連結フレーム
３４    汚水出口
３６    フィードウェル
４１    排水トラフ
４９    自在継手
５１    リング歯車
５２    上側リング
５３    下側リング
５４    ピン
５４ａ    支持ロッド
５４ｂ    係合ローラ
６０    スプロケットホイール
６３    ベアリング機構
６４    上側ガイドローラ
６５    下側ガイドローラ
６６    水平シャフト
６８    ブラケット
７１    円筒部
７２    フランジ
【図１】
2014161788.tif 000003
【図２】
2014161788.tif 000004
【図３】
2014161788.tif 000005
【図４】
2014161788.tif 000006
【図５】
2014161788.tif 000007
【図６】
2014161788.tif 000008
【図７】
2014161788.tif 000009